(57)【要約】【課題】撮影情報の確認を効率良くすることができ、表示部から離れた位置にいても曝射条件を容易に確認することができる撮影情報表示器を提供する。【解決手段】  被検体情報を含む撮影情報が表示される通常表示モードと、曝射条件を強調表示する強調表示モードとを備える操作卓モニタおよびＸ線管モニタ１６。通常表示モードおよび強調表示モードと２種類の表示モードを備えることで、操作卓モニタおよびＸ線管モニタ１６は、被検体情報を含む撮影情報と強調表示された曝射条件を切り替え表示する。【選択図】  図１
2013158484.tif 000002
【特許請求の範囲】
【請求項１】
被検体情報を含む撮影情報が表示される通常表示モードと、
曝射条件を強調表示する強調表示モードと
を備えることを特徴とする撮影情報表示器。
【請求項２】
請求項１に記載の撮影情報表示器において、
前記通常表示モードと前記強調表示モードとの切り替えを行う表示モード選択部を備え、
前記表示モード選択部は、曝射条件変更指示または曝射条件完了指示または撮影開始準備指示が入力されると前記通常表示モードから前記強調表示モードへ移行する
ことを特徴とする撮影情報表示器。
【請求項３】
請求項２に記載の撮影情報表示器において、
前記表示モード選択部は曝射完了信号が入力されると前記強調表示モードから前記通常表示モードへ移行する
ことを特徴とする撮影情報表示器。
【請求項４】
請求項１から３のいずれか１つに記載の撮影情報表示器において、
前記強調表示は拡大表示である
ことを特徴とする撮影情報表示器。
【請求項５】
被検体にＸ線を曝射するＸ線管と、
被検体を透過したＸ線を検出するＸ線検出器と、
前記Ｘ線管から曝射されるＸ線を制御するＸ線管制御部と、
被検体情報を含む撮影情報が表示されている通常表示モードと、曝射条件を強調表示する強調表示モードとを有する撮影情報表示器と
前記通常表示モードおよび前記強調表示モードの切り替えを行う表示モード選択部と
を備えることを特徴とするＸ線撮影装置。
【請求項６】
請求項５に記載のＸ線撮影装置において、
前記表示モード選択部は、曝射条件変更指示または曝射条件完了指示または撮影開始準備指示が入力されると前記通常表示モードから前記強調表示モードへ移行する
ことを特徴とするＸ線撮影装置。
【請求項７】
請求項６に記載のＸ線撮影装置において、
前記表示モード選択部は、前記Ｘ線管制御部からＸ線の曝射完了の信号が入力されると前記強調表示モードから前記通常表示モードへ移行する
ことを特徴とするＸ線撮影装置。
【請求項８】
請求項６または７に記載のＸ線撮影装置において、
前記曝射条件変更指示は、管電圧または管電流または曝射時間を変更する指示である  
ことを特徴とするＸ線撮影装置。
【請求項９】
請求項６または７に記載のＸ線撮影装置において、
曝射条件の設定完了を指示する設定完了ボタンを備え、
前記設定完了ボタンが押されることで前記曝射条件完了指示が前記表示モード選択部に出力される
ことを特徴とするＸ線撮影装置。
【請求項１０】
請求項６または７に記載のＸ線撮影装置において、
Ｘ線管を曝射待機状態に移行する待機指示ボタンを備え、
前記待機指示ボタンが押されることで前記撮影開始準備指示が前記表示モード選択部に出力される
ことを特徴とするＸ線撮影装置。
【請求項１１】
請求項５から１０のいずれか１つに記載のＸ線撮影装置において、
前記強調表示は拡大表示である
ことを特徴とするＸ線撮影装置。
【請求項１２】
被検体にＸ線を曝射するＸ線管と、
被検体を透過したＸ線を検出するＸ線検出器と、
前記Ｘ線管から曝射されるＸ線を制御するＸ線管制御部と、
被検体情報を含む撮影情報が表示されている通常表示モードと、曝射条件を強調表示する強調表示モードとを有する撮影情報表示器と、
前記通常表示モードおよび前記強調表示モードの切り替えを行う表示モード選択部と、
前記Ｘ線管が配置された撮影室と、
前記撮影室に隣接する操作室と、
前記操作室と前記撮影室との間で開閉可能なドアと、
前記ドアの開閉を検出する開閉センサと
を備え、
前記表示モード選択部は、前記開閉センサから前記ドアが閉められたことを検出する信号が入力されると前記強調表示モードから前記通常表示モードへ移行する
ことを特徴とするＸ線撮影システム。
【発明の詳細な説明】
【技術分野】
【０００１】
本発明は撮影情報表示器およびそれを用いたＸ線撮影装置、Ｘ線撮影システムに係り、特に、撮影情報の表示に関する。
【背景技術】
【０００２】
従来、撮影者は、所望の撮影箇所を撮影するために被検体とＸ線管およびＸ線検出器の位置合わせを行う。この際、Ｘ線管に配置されたモニタなど、被検体の近くにある表示モニタで表示される撮影情報を確認しつつ位置合わせを行う。表示される撮影情報は、曝射条件、Ｘ線管のメカ情報および患者情報などである。また、被検体の体格および撮影箇所によって、位置合わせ時に曝射条件を変更することもある。
【０００３】
このようなＸ線撮影装置として、特許文献１および特許文献２で記載されているＸ線撮影装置が挙げられる。位置合わせおよび曝射条件の設定終了後、撮影者はＸ線の被曝を防止するために被検体から離れる。その後、撮影者は、撮影直前にも位置合わせがずれていないかを確認しつつ、防曝された操作室内の表示モニタまたは被検体の近くにある表示モニタで曝射条件の確認を行う。問題がなければ、Ｒｅａｄｙボタンを押してＸ線管を撮影待機状態にして、続いて曝射ボタンを押してＸ線を曝射してＸ線撮影を行う。
【先行技術文献】
【特許文献】
【０００４】
【特許文献１】特開２００９−２５４４１１号公報
【特許文献２】特開２００３−０４７６０８号公報
【発明の概要】
【発明が解決しようとする課題】
【０００５】
しかしながら、特許文献１に記載のＸ線撮影装置では、モニタ上には曝射条件またはＸ線管のメカ情報等の限られた情報しか表示されず、患者情報などの多くの情報を含む撮影情報を確認することができない。また、被検体の位置合わせ時に、各情報の確認をするには、その都度表示切替をしなければならず、確認操作が煩雑である。特許文献２に記載のＸ線撮影装置においても、被検体の近くにあるモニタでは曝射条件およびメカ情報が表示されており（特許文献２図６参照）、被検体から離れている撮影者からは曝射条件が見えづらいので、被検体を注視しつつ曝射条件を確認しながら撮影を行うことが困難である。また、操作室に配置されている表示部にも被検体の近くにあるモニタと同じ情報が表示されるので、曝射条件がメカ情報と同じ様に表示されており、被検体を注視するために起立した状態の撮影者にとって見えづらく、曝射条件を確認しながら撮影を行うことが困難であった。
【０００６】
本発明は、このような事情に鑑みてなされたものであって、撮影情報の確認を効率良くすることができ、また、表示部から離れた位置にいても曝射条件を容易に確認することができる撮影情報表示器およびそれを用いたＸ線撮影装置、Ｘ線撮影システムを提供することを目的とする。
【課題を解決するための手段】
【０００７】
本発明は、このような目的を達成するために、次のような構成をとる。
すなわち、本発明の第１の発明は、被検体情報を含む撮影情報が表示される通常表示モードと、曝射条件を強調表示する強調表示モードとを備える撮影情報表示器である。
【０００８】
上記構成によれば、被検体の近くで位置合わせする際には、通常表示モードにて表示される被検体情報を含む撮影情報を確認することができるので、位置合わせ時に必要な情報の確認を容易にすることができる。撮影直前の際には、強調表示モードにて曝射条件を強調表示することができるので、撮影者は撮影情報表示器から離れていても容易に曝射条件を確認することができる。
【０００９】
また、前記通常表示モードと前記強調表示モードとの切り替えを行う表示モード選択部を備え、前記表示モード選択部は、曝射条件変更指示または曝射条件完了指示または撮影開始準備指示が入力されると前記通常表示モードから前記強調表示モードへ移行することが好ましい。この構成により、通常表示モードから強調表示モードへの移行が実施されるので、撮影直前に撮影者が曝射条件だけを確認することができる。
【００１０】
また、前記表示モード選択部は曝射完了信号が入力されると前記強調表示モードから前記通常表示モードへ移行することが好ましい。これより、Ｘ線撮影終了後に、速やかに通常表示モードにて同時に表示される種々の撮影情報を確認することができるので、撮影者の操作の負担を軽減することができる。
【００１１】
また、本発明の第２の発明は、被検体にＸ線を曝射するＸ線管と、被検体を透過したＸ線を検出するＸ線検出器と、前記Ｘ線管から曝射されるＸ線を制御するＸ線管制御部と、被検体情報を含む撮影情報が表示されている通常表示モードと、曝射条件を強調表示する強調表示モードとを有する撮影情報表示器と前記通常表示モードおよび前記強調表示モードの切り替えを行う表示モード選択部とを備えるＸ線撮影装置である。
【００１２】
上記構成によれば、被検体の近くで位置合わせする際には、通常表示モードにて同時に表示される種々の撮影情報を確認することができるので、情報確認を容易にすることができる。また、表示モード選択部が、通常表示モードから強調表示モードへの移行を実施するので、撮影直前に撮影者が強調表示された曝射条件だけを確認することができる。これより、撮影者は撮影情報表示器から離れていても容易に曝射条件を確認することができる。
【００１３】
また、前記表示モード選択部は、曝射条件変更指示または曝射条件完了指示または撮影開始準備指示が入力されると前記通常表示モードから前記強調表示モードへ移行することが好ましい。これより、通常表示モードから強調表示モードへの移行が実施されるので、撮影直前に撮影者が曝射条件だけを確認することができる。
【００１４】
また、前記表示モード選択部は、前記Ｘ線管制御部からＸ線の曝射完了の信号が入力されると前記強調表示モードから前記通常表示モードへ移行することが好ましい。これより、Ｘ線撮影終了後に、速やかに通常表示モードにて同時に表示される種々の撮影情報を確認することができるので、撮影者の操作の負担を軽減することができる。
【００１５】
また、前記曝射条件変更指示は、管電圧または管電流または曝射時間を変更する指示であることが好ましい。管電圧または管電流または曝射時間を変更する際に、通常表示モードから強調表示モードへ変更されるので、変更された曝射条件の確認を容易にすることができる。
【００１６】
また、曝射条件の設定完了を指示する設定完了ボタンを備え、前記設定完了ボタンが押されることで前記曝射条件完了指示が前記表示モード選択部に出力されることが好ましい。設定完了ボタンが押されることで曝射条件完了指示が表示モード選択部に出力されて、通常表示モードから強調表示モードへ移行するので、撮影直前には、強調表示される曝射条件だけを確認することができる。
【００１７】
また、Ｘ線管を曝射待機状態に移行する待機指示ボタンを備え、前記待機指示ボタンが押されることで前記撮影開始準備指示が前記表示モード選択部に出力されることが好ましい。待機指示ボタンが押されることで撮影開始準備指示が表示モード選択部に出力されて、通常表示モードから強調表示モードへ移行するので、撮影直前には、強調表示される曝射条件だけを確認することができる。
【００１８】
また、前記強調表示は拡大表示であることが好ましい。撮影者が撮影情報表示器から離れていても曝射条件を容易に確認することができる。
【００１９】
また、本発明の第３の発明は、被検体にＸ線を曝射するＸ線管と、被検体を透過したＸ線を検出するＸ線検出器と、前記Ｘ線管から曝射されるＸ線を制御するＸ線管制御部と、被検体情報を含む撮影情報が表示されている通常表示モードと、曝射条件を強調表示する強調表示モードとを有する撮影情報表示器と、前記通常表示モードおよび前記強調表示モードの切り替えを行う表示モード選択部と、前記Ｘ線管が配置された撮影室と、前記撮影室に隣接する操作室と、前記操作室と前記撮影室との間で開閉可能なドアと、前記ドアの開閉を検出する開閉センサとを備え、前記表示モード選択部は、前記開閉センサから前記ドアが閉められたことを検出する信号が入力されると前記強調表示モードから前記通常表示モードへ移行することを特徴とするＸ線撮影システムである。
【００２０】
上記構成によれば、被検体の近くで位置合わせする際には、通常表示モードにて同時に表示される種々の撮影情報を確認することができるので、情報確認を容易にすることができる。また、操作室と撮影室との間の開閉可能なドアが閉められたことを開閉センサが検出して、表示モード選択部へ検出信号を出力する。表示モード選択部は、検出信号が入力されると、通常表示モードから強調表示モードへの移行を実施するので、撮影直前に撮影者が強調表示された曝射条件だけを確認することができる。これより、撮影者は操作室内で撮影情報表示器から離れていても容易に曝射条件を確認することができる。
【発明の効果】
【００２１】
本発明に係る撮影情報表示器およびそれを用いたＸ線撮影装置、Ｘ線撮影システムによれば、被検体を位置合わせする際には、通常表示モードにて被検体情報を含む撮影情報を確認することができる。撮影直前の際には、強調表示モードにて曝射条件を強調表示することができるので、撮影者は撮影情報表示器から離れていても容易に曝射条件を確認することができる。
【図面の簡単な説明】
【００２２】
【図１】実施例に係る全体構成を示す概略図である。
【図２】実施例に係るＸ線撮影装置の構成を示すブロック図である。
【図３】実施例に係るＸ線撮影装置に備わるＸ線管の正面図である。
【図４】実施例に係るＸ線撮影装置に備わる操作卓の正面図である。
【図５】実施例に係る通常表示モードにおける画面図である。
【図６】実施例に係る強調表示モードに画面図である。
【図７】図７（ａ）は初期状態のハンドスイッチの側面図であり、図７（ｂ）はＲｅａｄｙ状態のハンドスイッチの側面図であり、図７（ｃ）は曝射状態のハンドスイッチの側面図である。
【図８】実施例に係るＸ線撮影の流れを示すフローチャートである。
【図９】実施例に係る操作室と撮影室との間のドアの概略図である。
【図１０】変形例に係る通常表示モードにおける画面図である。
【発明を実施するための形態】
【実施例１】
【００２３】
１．操作室
図１に示すように、Ｘ線検査は、操作室１と隣接する撮影室２との２つの部屋を撮影者Ｐが行き来して実施される。操作室１と撮影室２との間に鉛製の窓３が配置され、撮影者Ｐは操作室１から窓３を通して撮影室２の状況を確認することができる。また、撮影室２は防護壁４にて囲まれており、Ｘ線管から曝射されたＸ線が撮影室２の外へ漏れるのを防止している。操作室１には、Ｘ線撮影の設定をする操作卓５が支持台６介して床７に配置されている。また、操作卓５にはハンドスイッチ１９が接続されており、撮影者Ｐは操作卓５から離れた位置においても、ハンドスイッチ１９を押すことによりＸ線を曝射することができる。
【００２４】
２．Ｘ線撮影装置
撮影室２に配置されているＸ線撮影装置１１は、天井から垂直下方に吊り下げられＸ線を発生するＸ線管１２と、撮影対象である被検体Ｍを載置する寝台１３と、Ｘ線管１２と対向して配置されたＸ線平面検出器１４（Flat Panel Detector；以下、ＦＰＤと称す。）とを備える。ＦＰＤ１４は本発明におけるＸ線検出器に相当する。
【００２５】
Ｘ線管１２は、Ｘ線撮影の種々の条件設定を行うＸ線管操作部１５と、設定された条件を表示するＸ線管モニタ１６と、Ｘ線管１２を手動で移動および回転するハンドル１７と、Ｘ線管１２で発生するＸ線を絞るコリメータ１８とを備える。Ｘ線管操作部１５および操作卓５は、Ｘ線管１２内のＸ線焦点とＦＰＤ１４の中心とを結ぶ距離すなわちＳＩＤ(Source Image Distance)を設定することができる。
【００２６】
またＸ線管１２は、天井に配設された水平移動機構２１により寝台１３の短手方向であるＸ方向と、寝台１３の長手方向であるＹ方向に対して移動可能である。水平移動機構２１には、Ｘ線管１２を垂直方向に昇降自在に保持する懸垂保持機構２２の上端が取り付けられている。懸垂保持機構２２の下端には、Ｘ線管アーム２３を介してＸ線管１２が取り付けられている。懸垂保持機構２２は、Ｘ線管１２を垂直方向、つまり床面から天井方向であるＺ方向に昇降可能に保持する。Ｘ線管アーム２３は、懸垂保持機構２２の軸心周りを回転可能に取り付けられている。また、Ｘ線管１２は懸垂保持機構２２の軸心とＸ線管アーム２３の軸心とを含む平面と平行なθ１周りと、Ｘ線管アーム２３の軸心周りのθ２周りと、懸垂保持機構２２の軸心周りのθ３周りに回転可能である。
【００２７】
水平移動機構２１、懸垂保持機構２２、Ｘ線管アーム２３およびＸ線管１２にはそれぞれモータ（図示省略）が備えられており、それぞれ、Ｘ、Ｙ、Ｚ、θ１、θ２およびθ３の６方向に手動または電動にてＸ線管１２を移動することができる。手動で移動するか電動で移動するかは、Ｘ線管操作部１５および操作卓５で選択できる。手動でＸ線管１２を移動する場合は、ハンドル７の操作により移動することができる。電動でＸ線管１２を移動する場合は、Ｘ線管操作部１５および操作卓５の操作により移動することができる。
【００２８】
寝台１３は、被検体Ｍを載置する天板３１と天板３１を支える基台３２とを備えている。天板の下方にはＦＰＤ１４がＸ線管１２と対向するように、天板の長手方向に移動可能に配置されている。また、Ｘ線管１２とＦＰＤ１４は、それぞれ独立して移動することもできる。ＦＰＤ１４は、実施例１ではａ−Ｓｅ（アモルファスセレン）等のＸ線感応半導体を用いた直接変換型Ｘ線検出器を採用しているが、間接変換型Ｘ線検出器やＸ線フィルムでもよい。
【００２９】
また、Ｘ線撮影装置１１は一部が操作室１にも配置されており、ＰＣ（パーソナルコンピュータ）３４内にＸ線管制御部２６、画像処理部２７、主制御部２８および記憶部３０が収容されている（図２参照）。Ｘ線管制御部２６はＸ線管１２に出力する管電圧や管電流を制御し、画像処理部２７はＦＰＤ１４から出力されるＸ線検出信号を基に種々の画像処理を実施し、記憶部３０にＸ線透視画像や他の撮影データを保管され、主制御部２８はこれらの各構成部を統括制御する。また、操作室１には、Ｘ線診断操作画面および画像処理されたＸ線透視画像などを表示するモニタ２９と、ＰＣ３４を操作するマウス３５が配置されている。なお、Ｘ線管制御部２６は、ＦＰＧＡを用いてＸ線管１２内に配置してもよい。
【００３０】
次に、図３を参照して、Ｘ線管操作部１５の構成を説明する。Ｘ線管操作部１５には、管電圧の値を設定するダイヤル１５ａと、管電流の値を設定するダイヤル１５ｂと、押すことで設定完了の信号が出力される設定完了ボタン１５ｃと、ダイヤル１５ａにおいて管電圧の設定と曝射時間の設定とを変更する設定変更ボタン１５ｄと、各種メニューボタン１５ｅ、１５ｆを備える。
【００３１】
撮影者Ｐは、天板３１上で被検体Ｍ、Ｘ線管１２およびＦＰＤ１４の位置合わせを行いながら、Ｘ線管モニタ１６に表示される通常表示モードの情報を確認することができる。ここで、通常表示モードで表示される情報は、被検体情報を含む撮影情報である。本実施例では、図５に示すように、通常表示モードで表示される情報は、被検体情報およびメカ情報および曝射条件の全てを含む撮影情報である。被検体情報として患者ＩＤ、患者名および撮影メニューが表示される。また、メカ情報としてＳＩＤおよび管球情報が表示され、曝射条件として、管電圧、管電流、および曝射時間が表示される。管電流および曝射時間の替わりにｍａｓ値を表示してもよい。ｍａｓ値とは、管電流に曝射時間を乗算した値である。管電圧および管電流の値は、ダイヤル１５ａ、１５ｂをそれぞれ回すことで設定することができる。また、ダイヤル設定変更ボタン１５ｄを押すことで、管電圧の設定と曝射時間の設定とを変更し、ダイヤル１５ａにより曝射時間を設定することができる。また、ダイヤル１５ｂによりｍａｓ値が設定できる構成でもよい。また、メニューボタン１５ｅを押すことで、予め定められた管電圧、管電流、および曝射時間の組み合わせの中から選択することもできる。
【００３２】
また、撮影者Ｐは操作室１内の操作卓５により管電圧、管電流、および曝射時間の設定を行うことできる。また、管電流および曝射時間の替わりにｍａｓ値による設定もできる。図４は、操作卓の正面図が示される。操作卓５は、操作卓モニタ８と操作部９とを有する。操作部９はダイヤル９ａ〜９ｃと操作ボタン９ｄ〜９ｋとで構成される。ダイヤル９ａは管電圧の値を設定し、ダイヤル９ｂは管電流の値を設定し、ダイヤル９ｃはＸ線曝射時間を設定する。また、操作部９には、押すことで設定完了の信号が出力される設定完了ボタン９ｈと、Ｘ線管１２を待機状態にするＲｅａｄｙボタン９ｉと、Ｘ線管１２からＸ線を曝射する曝射ボタン９ｊと、各種メニューボタン９ｋとを備える。
【００３３】
次に、図２を参照して、Ｘ線管モニタ１６および操作卓モニタ８における通常表示モードと強調表示モードの２つの画面表示切替の構成を説明する。撮影者Ｐが被検体Ｍの位置合わせおよび管電圧、管電流および曝射時間の設定を完了し、Ｘ線管１２または操作卓５の設定完了ボタン１５ｃまたは９ｈを押すと、設定完了の信号が出力されて表示モード選択部２５に送られる。表示モード選択部２５は、設定完了の信号が入力されると、被検体情報、メカ情報および曝射条件とを含む撮影情報を表示する通常表示モードから曝射条件を強調表示する強調表示モードへの切り替えを指示する。
【００３４】
表示モード選択部２５から強調表示モードへの切り替え指示が出力されると、Ｘ線管モニタ１６および操作卓モニタ８には、曝射条件が強調表示される。図６に示すように、強調表示として拡大表示が挙げられる。この他にも、通常表示モードの表示色と異なる色での表示（着色表示）や、拡大表示と着色表示とを併用して表示してもよい。また、強調表示する文字を明るく表示して、その他の文字および背景を暗く表示したり、強調表示する文字を背景色に対する補色等の目立つ色の太枠で囲んで表示したり、強調表示する文字のフォントを太く表示したり、強調表示する文字のフォントを背景色に対する補色等の目立つ色で表示してもよい。また、これらの強調表示を単独で実施してもよいし、組み合わせて実施してもよい。なお、モニタ２９上において通常表示モードおよび強調表示モードの情報が確認できる構成でもよい。
【００３５】
また、設定完了ボタン１５ｃまたは９ｈを押す替わりに、曝射条件の変更があった場合に強調表示モードから再度通常表示モードへ切り替える構成でもよい。この曝射条件の変更とは、管電圧、管電流または照射時間等の設定の変更である。すなわち、ダイヤル９ａ〜９ｃまたは１５ａ、１５ｂが回されると、表示モード選択部２５が、通常表示モードから強調表示モードへの切り替えをＸ線管モニタ１６および操作卓モニタ８に指示する。
【００３６】
Ｘ線管１２からＸ線の曝射終了後、曝射完了の信号がＸ線管制御部２６から表示モード選択部２５へ入力されると、表示モード選択部２５は強調表示モードから通常表示モードへの切り替えを指示する。表示モード選択部２５から通常表示モードへの切り替え指示が出力されると、Ｘ線管モニタ１６および操作卓モニタ８には、検体情報、メカ情報および曝射条件を含む撮影情報が表示される。
【００３７】
また、ハンドスイッチ１９を用いてＸ線撮影を実施する場合、ハンドスイッチ１９のＲｅａｄｙボタンが押された状態で通常表示モードから強調表示モードへ切り替えてもよい。図７（ａ）には、ハンドスイッチ１９が何も押されていない初期状態が示されている。ハンドスイッチ１９は、Ｒｅａｄｙボタン１９ａと曝射ボタン１９ｂとを有し、それぞれのボタンが２段階に順に押される。
【００３８】
図７（ｂ）には、Ｒｅａｄｙボタン１９ａの押された状態が示されている。Ｒｅａｄｙボタン１９ａが押されることでＲｅａｄｙ信号が出力され、Ｘ線管制御部２６はＸ線管１２の管電圧の印加を開始して撮影待機状態に移行する。また、Ｒｅａｄｙ信号が表示モード選択部２５にも入力されて、表示モード選択部２５がＸ線管モニタ１６および操作卓モニタ８に通常表示モードから曝射条件を強調表示する強調表示モードへの切り替えを指示する。
【００３９】
図７（ｃ）には、曝射ボタン１９ｂの押された状態が示されている。曝射ボタン１９ｂが押されることで曝射信号が出力され、Ｘ線管制御部２６はＸ線管１２からＸ線を曝射する。撮影者Ｐが曝射ボタン１９ｂを離すと、曝射ボタン１９は図７（ａ）に示される初期状態に戻る。また、曝射終了後、曝射完了の信号がＸ線管制御部２６から表示モード選択部２５へ入力され、表示モード選択部２５はＸ線管モニタ１６および操作卓モニタ８に強調表示モードから通常表示モードへの切り替えを指示する。被検体ＭとＸ線管１２との位置関係を確認するために、撮影者Ｐが操作卓５から離れなければならない状態であっても、Ｘ線管モニタ１６上で拡大された曝射情報を確認しつつハンドスイッチ１９を用いて撮影することができる。なお、操作卓５のＲｅａｄｙボタン９ｉと曝射ボタン９ｊが押された場合の制御も同様である。Ｒｅａｄｙボタン９ｉ、１９ａは本発明における待機指示ボタンに相当する。
【００４０】
３．Ｘ線撮影
次に、図８を参照して、実施例によりＸ線撮影が実施される場合の動作を説明する。図８は実施例１に係るＸ線撮影の流れを示すフローチャートである。
【００４１】
撮影者Ｐは、寝台１３上で被検体Ｍ、Ｘ線管１２およびＦＰＤ１４の位置合わせを実施する。この際、撮影者Ｐは、Ｘ線管モニタ１６に表示される撮影情報を確認する。次に、撮影者ＰはＸ線管操作部１５または操作卓５の操作部８により管電圧、管電流、曝射期間などの曝射条件を設定する（ステップＳ０１）。設定された曝射条件は、主制御部２８を介して、Ｘ線管制御部２６へ送られる。
【００４２】
次に、撮影者Ｐが設定完了ボタン１５ｃまたは９ｈを押すことで、設定完了信号が出力され曝射条件の設定を終了する（ステップＳ０２）。設定完了信号は主制御部２８を介して表示モード選択部２５に入力され、通常表示モードから強調表示モードへの切り替えをＸ線管モニタ１６および操作卓モニタ８に指示する。これにより、Ｘ線管モニタ１６および操作卓モニタ８は、通常表示モードから強調表示モードへ切り替えられる（ステップＳ０３）。
【００４３】
撮影者Ｐは、操作室１からＸ線管１２を確認する視点ｖ１、被検体Ｍを確認する視点ｖ２および操作卓５を確認する視点ｖ３を交互に順に確認する（図１参照）。撮影者Ｐは立った状態または操作卓５から離れた状態であっても、操作卓モニタ８に強調表示された曝射条件を容易に確認することができる。また、ハンドスイッチ１９を用いる場合、Ｘ線管モニタ１６に表示される強調表示された曝射条件を容易に確認することができる。
【００４４】
強調表示モードへ切り替えられた後、撮影者ＰがＲｅａｄｙボタンを押し、次に曝射ボタンを押すことで、Ｘ線管１２からＸ線が曝射される（ステップＳ０４）。Ｘ線が曝射されると、Ｘ線管制御部２６から曝射終了の信号が表示モード選択部に２５に送られる。表示モード選択部２５は、曝射終了の信号が入力されると、強調表示モードから通常表示モードへの切り替えをＸ線管モニタ１６および操作卓モニタ８に指示する。これにより、Ｘ線管モニタ１６および操作卓モニタ８は、通常表示モードの情報が表示されるステップＳ０５）。また、Ｘ線曝射後、ＦＰＤ４から撮影画像が画像処理部６へ送られる。画像処理部６は、撮影画像からノイズを除去するなど補正をして、モニタ２９に表示または記憶部３０に保管する。
【００４５】
なお、ステップＳ０２における曝射条件設定終了を省略して、ステップＳ０１における曝射条件設定に伴ってステップＳ０３の表示モード切り替えを実施してもよいし、ステップＳ０４におけるＲｅａｄｙボタンが押されることに伴ってステップＳ０３の表示モード切り替えを実施してもよい。
【００４６】
このように、実施例のＸ線管モニタ１６、操作卓モニタ８およびＸ線撮影装置１１によれば、被検体Ｍを位置合わせする際には、通常表示モードにて同時に表示される種々の情報を確認することができる。また、撮影直前の際には、強調表示モードにて曝射条件を強調表示することができるので、撮影者Ｐは操作卓モニタ８またはＸ線管モニタ１６から離れていても容易に曝射条件を確認することができる。また、撮影後には、通常表示モードに戻ることで、多くの情報を確認することができる。このように、一連の撮影状態に対応して必要な情報を撮影者Ｐに提供することができる。
【００４７】
また、通常表示モードから強調表示モードへの切り替えを、Ｒｅａｄｙボタン９ｉ、１９ａの押下状態と連動することで、撮影者Ｐが特に意識することなく実施することができるので、撮影者Ｐの負担を軽減することができ、撮影者Ｐは撮影に集中することができる。強調表示モードから通常表示モードへの切り替えも、Ｘ線曝射終了と連動することで撮影者Ｐの負担を軽減している。
【００４８】
本発明は、上記実施形態に限られることはなく、下記のように変形実施することができる。
【００４９】
（１）上述した実施例では、Ｒｅａｄｙボタンが押されることで撮影開始準備指示が出力されていたが、これに限らない。たとえば、図２および図９に示すように、操作室１と撮影室２との間で開閉可能なドア３７が閉められると、撮影開始準備指示が出力されるＸ線撮影システムでもよい。ドア３７が閉められると、ドア３７が閉められた際にドア３７と接触する防護壁４の上部に設けられた押圧センサ３６をドア３７が押圧する。押圧センサ３６がドア３７との接触を検出することで、検出信号が表示モード選択部２５に入力される。ドア３７が閉められたことの検出信号が入力されると、表示モード選択部２５はＸ線管モニタ１６および操作卓モニタ８に通常表示モードから曝射条件を強調表示する強調表示モードへの切り替えを指示する。
【００５０】
（２）上述した実施例では、表示モード選択部２５はＰＣ３４に備わる構成であったが、これに限らず、Ｘ線管モニタ１６および操作卓モニタ８のそれぞれに備わる構成でもよい。
【００５１】
（３）上述した実施例では、通常表示モードで表示される情報は、被検体情報およびメカ情報および曝射条件の全てを含む撮影情報であったが、曝射条件またはメカ情報またはその両方が撮影情報に含まれていなくてもよい。すなわち、被検体情報の撮影情報を表示する通常表示モードから曝射条件を強調する強調表示モードへの切り替えであってもよい。また、通常表示モードで表示される情報が複数曝射の被検体情報を含む撮影情報であってもよい。図１０で示すように、通常表示モードで表示される撮影情報として、患者ＩＤおよび患者名と複数の撮影予定箇所が含まれる。そして、強調表示モードでは、操作卓５またはＸ線管操作部１５で選択された１つの撮影予定箇所の曝射条件が、図６に示されるように強調表示される。
【符号の説明】
【００５２】
１  …  操作室
２  …  撮影室
８  …  操作卓モニタ
１１  …  Ｘ線撮影装置
１２  …  Ｘ線管
１４  …  Ｘ線検出器
１６  …  Ｘ線管モニタ
１９  …  ハンドスイッチ
１９ａ  …  Ｒｅａｄｙボタン
２５  …  表示モード選択部
２６  …  Ｘ線管制御部
３６  …  押圧センサ
３７  …  ドア  
【図１】
2013158484.tif 000003
【図２】
2013158484.tif 000004
【図３】
2013158484.tif 000005
【図４】
2013158484.tif 000006
【図５】
2013158484.tif 000007
【図６】
2013158484.tif 000008
【図７】
2013158484.tif 000009
【図８】
2013158484.tif 000010
【図９】
2013158484.tif 000011
【図１０】
2013158484.tif 000012